(57)【要約】【課題】冷蔵室のドアポケットにマイナスイオン発生素子またはユニットを配設した構成とすることにより、冷蔵庫内にマイナスイオンを多く含む冷気を循環させて、庫内の脱臭性能や抗菌性能を高め、食品をおいしく保存することができる冷蔵庫を提供する。【解決手段】断熱箱体１の内部を複数の断熱仕切体によって冷蔵室７と、野菜室８と、冷凍室９とに区画し、各部屋に夫々開閉扉１１又は引出し扉１２，１３　を設け、少なくとも各部屋の何れかの背面に冷却器１４を備えた冷気生成室１６を形成すると共に、冷気生成室１６の所定位置に、冷気循環用の送風ファン２１を設け、冷却器１４の上部の冷気吹出口１８から冷却器１４で生成された冷気を冷蔵室７、野菜室８および冷凍室９に循環させる一方、冷蔵室７の開閉扉１１の背面にドアポケット１１ｂ　を設けてなり、ドアポケット１１ｂ　にマイナスイオン発生素子２６またはユニットを配設した。【選択図】　図１
2004069192.tif 000002
【特許請求の範囲】
【請求項１】
外箱と内箱間に断熱材を充填してなる断熱箱体の内部を複数の断熱仕切体によって冷蔵室と、野菜室と、冷凍室とに区画し、各部屋に夫々開閉扉又は引出し扉を設け、少なくとも前記各部屋の何れかの背面に冷却器を備えた冷気生成室を形成すると共に、同冷気生成室の所定位置に、冷気循環用の送風ファンを設け、前記冷却器の上部の冷気吹出口から前記冷却器で生成された冷気を前記冷蔵室、前記野菜室および前記冷凍室に循環させる一方、前記冷蔵室の開閉扉の背面にドアポケットを設けてなり、
前記ドアポケットにマイナスイオン発生素子またはユニットを配設してなることを特徴とする冷蔵庫。
【請求項２】
前記マイナスイオン発生素子またはユニットを前記ドアポケットの前面壁、底板または側面壁の外側あるいは内側の何れかに取付けてなることを特徴とする請求項１記載の冷蔵庫。
【請求項３】
前記マイナスイオン発生素子またはユニットに係止爪を設けると共に、前記ドアポケットに前記係止爪に対応する係止孔を設け、同係止孔に前記係止爪を係止してなることを特徴とする請求項１記載の冷蔵庫。
【請求項４】
前記マイナスイオン発生素子またはユニットを、リベットにより前記ドアポケットに取付けてなることを特徴とする請求項１記載の冷蔵庫。
【請求項５】
前記マイナスイオン発生素子またはユニットを、ネジ止めにより前記ドアポケットに取付けてなることを特徴とする請求項１記載の冷蔵庫。
【請求項６】
前記マイナスイオン発生素子またはユニットを、接着剤または両面テープにより前記ドアポケットに取付けてなることを特徴とする請求項１記載の冷蔵庫。
【請求項７】
前記ドアポケットの底板裏面に、相対向する略Ｌ字状および略逆Ｌ字状の一対の係止片を設け、同係止片に前記マイナスイオン発生素子またはユニットを嵌入してなることを特徴とする請求項１記載の冷蔵庫。
【請求項８】
前記マイナスイオン発生素子またはユニットを、前記ドアポケットの外周壁または底板に、その表面が前記ドアポケットの表面と面一になるように埋め込んでなることを特徴とする請求項１記載の冷蔵庫。
【請求項９】
前記ドアポケットを成形する樹脂に、マイナスイオンを発生する物質を含有してなることを特徴とする請求項１記載の冷蔵庫。
【発明の詳細な説明】
【０００１】
【発明の属する技術分野】
本発明は冷蔵庫に係わり、詳しくは、冷蔵室のドアポケットにマイナスイオン発生素子またはユニットを設けたものに関する。
【０００２】
【従来の技術】
従来のこの種の冷蔵庫には、例えば図５に示すような特開２００２−１１５９５７公報に記載されたものがある。図において、５１は冷蔵庫、５２は冷蔵庫５１の最上段に位置する冷蔵室、５３は中央に位置する野菜室、５４は最下段に位置する冷凍室である。５５は冷凍室５４の後部に設けた冷却器室で、冷却器５６が配設され、冷却器５６の上部にはファン装置５７が設けられている。
５８は冷気を通すダクトで、冷却器室５５の上部より野菜室５３と冷蔵室５２の後部壁面内を通り、野菜室５３の天井部に設けた野菜室冷却用ダクト５９と、冷蔵室５２の後部に設けた冷蔵室用ダクト６０に連通する。６１は冷却器室５５から冷凍室５４に冷気を流すために冷却器室５５に設けた冷気の吹出し口、６２は野菜室冷却用ダクト５９から野菜室５３に冷気を流すために野菜室冷却用ダクト５９に設けた冷気の吹出し口、６３は冷蔵室用ダクト６０から冷蔵室５２に冷気を流すために冷蔵室用ダクト６０に設けた吹出し口である。
【０００３】
６４は冷蔵室用ダクト６０内及び野菜室冷却用ダクト５９内に貼り付けたマイナスイオン放出シートである。マイナスイオン放出シート６４は、イオン放出天然鉱石、遠赤外線放出物質及びシリコンからなる複合素材を、例えば可撓性を有するプラスチックシートに塗布したものである。マイナスイオン放出シート６４の裏面には粘着材を塗布してもよく、こうすると、野菜室冷却用ダクト５９や冷蔵室用ダクト６０などに容易に貼り付けることができる。
イオン放出天然鉱石は、放射性物質により周囲の物質をイオン化する。このように、放射線は半永久的に放出されるので、マイナスイオンも半永久的に放出できる。
【０００４】
上記構成において、冷却器室５５の冷却器５６で冷却された冷気は、ファン装置５７によって冷却器室５５の吹出し口６１から冷凍室５４内に吹出される。また、冷気は、ダクト５８を通って、冷蔵室用ダクト６０に入ってその吹出し口６３から吹出され、また、野菜室６３の天井部の野菜室冷却用ダクト５９に入ってその吹出し口６２からも吹出され、それぞれ冷蔵室５２および野菜室５３に分配される。
その際に、冷蔵室５２の冷蔵室用ダクト６０内に貼り付けているマイナスイオン放出シート６４の表面を冷気が通過し、このとき、冷気中にマイナスイオンを取り込む。また、同様に、野菜室５３の野菜室冷却用ダクト５９内に貼り付けているマイナスイオン放出シート６４の表面を冷気が通過し、このとき、冷気中にマイナスイオンが取り込まれる。
こうして、冷蔵庫５１内にマイナスイオンを多く含む冷気を循環させて、庫内の脱臭性能や抗菌性能を高め、食品をおいしく保存することができる。
【０００５】
しかしながら、上記構成の従来の冷蔵庫ように冷気戻りダクト内に脱臭装置を設置した場合、冷気が脱臭装置に戻ってくるまでに他の食品を通過してくるために、食品同士の臭い移りが問題となる。
【０００６】
【発明が解決しようとする課題】
本発明は上記問題点に鑑みなされたもので、冷却器で生成された冷気を、少なくとも冷蔵室の天井前面の冷気吹出口よりドアポケットに向け吹出されるものにおいて、冷蔵室のドアポケットにマイナスイオン発生素子またはユニットを配設した構成とすることにより、冷蔵庫内にマイナスイオンを多く含む冷気を循環させて、庫内の脱臭性能や抗菌性能を高め、食品をおいしく保存することができる冷蔵庫を提供することを目的としている。
【０００７】
【課題を解決するための手段】
本発明は上記の課題を解決するためなされたもので、外箱と内箱間に断熱材を充填してなる断熱箱体の内部を複数の断熱仕切体によって冷蔵室と、野菜室と、冷凍室とに区画し、各部屋に夫々開閉扉又は引出し扉を設け、少なくとも前記各部屋の何れかの背面に冷却器を備えた冷気生成室を形成すると共に、同冷気生成室の所定位置に、冷気循環用の送風ファンを設け、前記冷却器の上部の冷気吹出口から前記冷却器で生成された冷気を前記冷蔵室、前記野菜室および前記冷凍室に循環させる一方、前記冷蔵室の開閉扉の背面にドアポケットを設けてなり、
前記ドアポケットにマイナスイオン発生素子またはユニットを配設してなる構成となっている。
【０００８】
また、前記マイナスイオン発生素子またはユニットを前記ドアポケットの前面壁、底板または側面壁の外側あるいは内側の何れかに取付けた構成となっている。
【０００９】
また、前記マイナスイオン発生素子またはユニットに係止爪を設けると共に、前記ドアポケットに前記係止爪に対応する係止孔を設け、同係止孔に前記係止爪を係止した構成となっている。
【００１０】
また、前記マイナスイオン発生素子またはユニットを、リベットにより前記ドアポケットに取付けた構成となっている。
【００１１】
また、前記マイナスイオン発生素子またはユニットを、ネジ止めにより前記ドアポケットに取付けた構成となっている。
【００１２】
また、前記マイナスイオン発生素子またはユニットを、接着剤または両面テープにより前記ドアポケットに取付けた構成となっている。
【００１３】
また、前記ドアポケットの底板裏面に、相対向する略Ｌ字状および略逆Ｌ字状の一対の係止片を設け、同係止片に前記マイナスイオン発生素子またはユニットを嵌入してなる構成となっている。
【００１４】
また、前記マイナスイオン発生素子またはユニットを、前記ドアポケットの外周壁または底板に、その表面が前記ドアポケットの表面と面一になるように埋め込んだ構成となっている。
【００１５】
また、前記ドアポケットを成形する樹脂に、マイナスイオンを発生する物質を含有してなる構成となっている。
【００１６】
【発明の実施の形態】
以下、本発明の実施の形態を添付図面に基づいて詳細に説明する。
図１は本発明による冷蔵庫の側断面図、図２は本発明によるマイナスイオン発生素子またはユニットの取付け方法の要部拡大図で、（Ａ）は係止爪による方法、（Ｂ）はリベットによる方法、（Ｃ）はネジ止めによる方法である。図において、１は鋼板製の外箱２と、合成樹脂製の内箱３と、これら両箱間に充填された断熱材４とからなる断熱箱体（冷蔵庫本体）である。この断熱箱体１の内部、つまり、内箱３は上下二つの仕切体（断熱仕切体）５、６によって上部の冷蔵室７と、中央の野菜室８と、下部の冷凍室９とに区画され、前記冷蔵室７にはチルド室１０が設けられている。
【００１７】
前記冷蔵室７の前面開口部には扉内板１１ａ　に複数のドアポケット１１ｂ　を備え、一側の上下が開閉自在に枢支された開閉扉１１が設けられ、前記野菜室８および前記冷凍室８には収納容器を備えた引出し式開閉扉１２，１３　が設けられている。
【００１８】
前記冷蔵室７の後方上部には冷却器１４が設けられ、同冷却器１４の前方に、上部を開口し、同冷却器１４よりも低位置の正面に複数の冷気吸込口１５ａ、１５ｂ、１５ｃおよび１５ｄを開口した前面カバー１５を設けて前記冷却器１４を備えた冷気生成室１６を形成するとともに、前記冷蔵室７およびチルド室１０内の冷気を冷気生成室１６（冷却器１４）に戻す冷気戻しダクト１７が形成されている。
【００１９】
また、前記内箱３の天井側には、前方に冷気吹出口１８を有し前記天井との間に冷気生成室１６と連通する冷気通路１９を形成するようにした天井カバー２０を被せるとともに、この天井カバー２０の取付けにより形成される冷気通路１９の入口側に冷気循環用の送風ファン２１を設けた構成になっている。
また、冷凍室９の後方には同冷凍室９専用の冷却器２２と冷気循環用の送風機２３を配置し、その前方に冷気吹出口等を有する前面カバー２４を設けた構成になっている。なお、符号２５は圧縮機である。
【００２０】
前記冷蔵室７の開閉扉１１のドアポケット１１ｂ　の前面壁、底板または側面壁の外側あるいは内側の何れかにマイナスイオン発生素子２６またはユニットを配設した構成となっている。
前記マイナスイオン発生素子２６は例えば、イオン放出天然鉱石などを樹脂に含有させたものであり、またマイナスイオン発生ユニットは絶縁体などを挟んで対抗する位置に電極を備え、これらの電極に電圧を印加することにより、マイナスイオンを発生させるものである。
【００２１】
上記構成において、前記冷却器１４で生成された冷気は、図１の矢印で示すように前記送風ファン２１により、前記冷気通路１９に送られ、前記冷蔵室７の天井前面の冷気吹出口１８より前記ドアポケット１１ｂ　に向け吹出される。
そして、前記ドアポケット１１ｂ　に配設された前記マイナスイオン発生素子２６またはユニットの表面を冷気が通過し、このとき、冷気中にマイナスイオンが取り込まれる。この冷気は各棚間を通り前記冷気吸込口１５ａ、１５ｂ、１５ｃに向け流れる。こうして、冷蔵庫１内にマイナスイオンを多く含む冷気を循環させて、庫内の脱臭性能や抗菌性能を高め、食品をおいしく保存することができる。
【００２２】
図２及び図３はマイナスイオン発生素子またはユニットの取付け方法の要部拡大図である。図２（Ａ）は前記マイナスイオン発生素子２６またはユニットの上面左右に係止爪２６ａ　を設けると共に、前記ドアポケット１１ｂ　の底板１１ｃ　の裏面に、前記係止爪２６ａ　に対応する係止孔１１ｃ１を設け、同係止孔１１ｃ１に前記係止爪２６ａ　を係止して取付けたものである。
【００２３】
また、図２（Ｂ）は前記マイナスイオン発生素子２６またはユニットの左右にネジａを挿通する挿通孔２６ｂ　を設けると共に、前記ドアポケット１１ｂ　の底板１１ｃ　にネジ穴１１ｃ２を設け、前記ネジａを前記挿通孔２６ｂ　に挿通し、前記ネジ穴１１ｃ２にネジａを螺着して取付けたものである。
【００２４】
また、図２（Ｃ）は前記マイナスイオン発生素子２６またはユニットの左右にリベットｂを挿通する挿通孔２６ｃ　を設けると共に、前記ドアポケット１１ｂ　の底板１１ｃ　にリベット穴１１ｃ３を設け、前記リベットｂを前記挿通孔２６ｃ　に挿通し、前記リベット穴１１ｃ３にリベットｂを打ち込んで取付けたものである。
【００２５】
また、図３（Ａ）は前記マイナスイオン発生素子２６またはユニットを前記ドアポケット１１ｂ　の底板１１ｃ　の裏面に両面テープ２６ｄ　により取付けたもので、図３（Ｂ）は接着剤２６ｅ　により取付けたものである。
【００２６】
また、図３（Ｃ）は前記ドアポケット１１ｂ　の底板１１ｃ　の裏面に、相対向する一対の略Ｌ字状の係止片１１ｄ１および略逆Ｌ字状の係止片１１ｄ２を夫々設け、同係止片１１ｄ１、１１ｄ２間に前記マイナスイオン発生素子２６またはユニットを嵌入して取付けたものである。
【００２７】
また、図４は前記ドアポケット１１ｂ　の底板１１ｃ　に、前記マイナスイオン発生素子２６またはユニットを埋め込む取付孔１１ｅ　を設け、同取付孔１１ｅ　に前記マイナスイオン発生素子２６またはユニットの表面及び裏面が、前記底板１１ｃ　の上面及び裏面と面一になるように埋め込んだ構成とすることにより、スペースの有効利用ができると共に、マイナスイオンを上下両面より大量に発生することができる。
尚、上記各取付け方法を前記ドアポケット１１ｂ　の底板１１ｃ　に取付けて説明したが、底板１１ｃ　に限らず、前面壁または側面壁の何れかに取付けてもよい。
さらに、前記ドアポケット１１ｂ　を成形する樹脂に、マイナスイオンを発生する物質を含有した構成としてもよい。
【００２８】
以上説明したように、前記冷却器１４で生成された冷気を、少なくとも前記冷蔵室７の天井前面の冷気吹出口１８より前記ドアポケット１１ｂ　に向け吹出されるものにおいて、前記冷蔵室７の開閉扉１１のドアポケット１１ｂ　の前面壁、底板１１ｃ　または側面壁の外側あるいは内側の何れかにマイナスイオン発生素子２６またはユニットを配設した構成とすることにより、冷蔵庫１内にマイナスイオンを多く含む冷気を循環させて、庫内の脱臭性能や抗菌性能を高め、食品をおいしく保存することができる冷蔵庫となる。
【００２９】
【発明の効果】
以上のように本発明においては、冷蔵室の開閉扉のドアポケットの前面壁、底板または側面壁の外側あるいは内側の何れかにマイナスイオン発生素子またはユニットを配設した構成とすることにより、冷蔵庫内にマイナスイオンを多く含む冷気を循環させて、庫内の脱臭性能や抗菌性能を高め、食品をおいしく保存することができる冷蔵庫となる。
【図面の簡単な説明】
【図１】本発明における冷蔵庫の概略構成を示す側断面図である。
【図２】本発明による実施例を示す要部拡大斜視図で、（Ａ）は第一の実施例、（Ｂ）は第二の実施例、（Ｃ）は第三の実施例である。
【図３】本発明による実施例を示す要部拡大斜視図で、（Ａ）は第四の実施例、（Ｂ）は第五の実施例、（Ｃ）は第６の実施例である。
【図４】本発明による第７の実施例を示す要部拡大斜視図である。
【図５】従来例における冷蔵庫の側断面図である。
【符号の説明】
１　断熱箱体（冷蔵庫本体）
５、６　仕切体
７　冷蔵室
８　野菜室
９　冷凍室
１０　チルド室
１１，１２，１３　開閉扉
１１ａ　　扉内板
１１ｂ　　ドアポケット
１１ｃ　　底板
１１ｃ１係止孔
１１ｃ２ネジ孔
１１ｃ３リベット孔
１１ｄ１，１１ｄ２　　係止片
１４　冷却器
１５　前面カバー
１５ａ，　１５ｂ，　１５ｃ，　１５ｄ　冷気吸込口
１６　冷気生成室
１７　冷気戻しダクト
１８　冷気吹出口
１９　冷気通路
２０　天井カバー
２１　送風ファン
２６　マイナスイオン発生素子（又はユニット）
２６ａ　　　係止爪
２６ｂ，２６ｃ　　挿通孔
ａ　ネジ
ｂ　　リベット
【図１】
2004069192.tif 000003
【図２】
2004069192.tif 000004
【図３】
2004069192.tif 000005
【図４】
2004069192.tif 000006
【図５】
2004069192.tif 000007